(57)【要約】【課題】  感圧接着剤が塗布されている巻芯には、粘着性を維持しつつ埃などの異物の付着を防ぐために離型紙を感圧接着剤の上に添付しなければならず、コストがかかる。【解決手段】  乾燥することにより粘着性がなくなり、水などの液体を塗布することにより再度粘着性が回復する澱粉などの材料を塗布し、シート材を保持するための保持手段を巻芯の表面に形成する。【選択図】            図２
2005162468.tif 000002
【特許請求の範囲】
【請求項１】
筒状体の表面に、前記筒状体の軸方向と平行に帯状に保持手段がコーティングされており、前記保持手段が大気中では乾燥して粘着力を発揮せず、液体を塗布することにより粘着力を回復することを特徴とする巻芯。
【請求項２】
前記保持手段が、澱粉、デキストリン、コンニャクマンナン、ポリビニルアルコール、酢酸ビニル系樹脂、アラビアゴムおよびカルボキシメチルセルロースのうちの少なくとも一つを含むものであり、前記液体が水であることを特徴とする、請求項１記載の巻芯。
【請求項３】
前記保持手段がエチルセルロースであり、前記液体がエタノールであることを特徴とする、請求項１記載の巻芯。
【請求項４】
前記筒状体が紙管であることを特徴とする、請求項１〜請求項３のいずれか一項に記載の巻芯。
【請求項５】
請求項１から請求項４のいずれか一項に記載の巻芯にシート材が巻き取られてなる巻回体。
【請求項６】
筒状体の表面に、前記筒状体の軸方向と平行に帯状に保持手段がコーティングされており、前記保持手段が大気中では乾燥して粘着力を発揮せず、液体を塗布することにより粘着力を回復する複数の巻芯を準備する工程と、
前記複数の巻芯を束ね異なる巻芯の保持手段同士が当接しないように輸送する工程と、
前記巻芯を巻取り装置に装着して前記液体を塗布してシート材の端を巻芯に貼る工程とを備える巻芯の使用方法。
【発明の詳細な説明】
【技術分野】
【０００１】
この発明は、磁気テープ用プラスチックフィルムや、アルミニウム箔等の金属箔や、紙やシート状フィルタなどのシート材を巻き取るための巻芯、フィルムが巻芯に巻取れられてなる巻回体及び巻芯の使用方法に関する。本明細書および特許請求の範囲において、「シート材」という語には、金属、紙、合成樹脂又はこれらの複合材等からなり、シート状であって剛性が低く、巻取りが可能となっているものが含まれるものとする。
【背景技術】
【０００２】
従来から、シート材を巻き取るための巻芯としては、図３に示すように、紙テープ２を螺旋状に巻き付けて円筒状に加工された紙管などが使用されている。シート材５の巻取り開始端部を巻芯１の外周面に固定するため、巻芯１の外周面には、巻芯１の軸に平行な方向に感圧接着剤４が帯状に塗布されている。
シート材５を感圧接着剤４に貼付して巻芯１を回転することにより、シート材５の巻芯１への巻取り開始の段取りを素早く正確に行うことができる。このような構成については、例えば特公平３−８６８９号公報に記載されている。
【０００３】
【特許文献１】特開平３−８６８９号公報
【発明の開示】
【発明が解決しようとする課題】
【０００４】
従来のシート材を巻き取る巻芯であって感圧接着剤が塗布されているものは、図３に示すシート材５を巻き始めるまでは、図４に示すように感圧接着剤４が離型紙６で覆われていないと埃が付着したり、湿気の影響で粘着力が低下したりするなどという問題があり、離型紙６を添付する工程とコストを必要とするという問題点がある。
この発明は上記の問題点を解消するためになされたものであり、離型紙の添付を省略することによりコストの低減を図ることを目的とする。
【課題を解決するための手段】
【０００５】
第１の課題解決手段による巻芯は、筒状体の表面に、筒状体の軸方向と平行に帯状に保持手段がコーティングされており、保持手段が大気中では乾燥して粘着力を発揮せず、液体を塗布することにより粘着力を回復するものである。
第２の課題解決手段による巻芯は、第１の課題解決手段の巻芯において、保持手段が、澱粉、デキストリン、コンニャクマンナン、ポリビニルアルコール、酢酸ビニル系樹脂、アラビアゴムおよびカルボキシメチルセルロースのうちの少なくとも一つを含むものであり、液体が水であるものである。
第３の課題解決手段による巻芯は、第１の課題解決手段の巻芯において、保持手段がエチルセルロースであり、液体がエタノールである
第４の課題解決手段による巻芯は、第１から第３の課題解決手段の巻芯のいずれかにおいて、筒状体が紙管であるものである。
第５の課題解決手段による巻回体は、第１から第４の課題解決手段のいずれかの巻芯に、シート材が巻き取られてなるものである。
第６の課題解決手段による巻芯の輸送方法は、筒状体の表面に、筒状体の軸方向と平行に帯状に保持手段がコーティングされており、保持手段が大気中では乾燥して粘着力を発揮せず、液体を塗布することにより粘着力を回復する複数の巻芯を準備する工程と、複数の巻芯を束ね異なる巻芯の保持手段同士が当接しないように輸送する工程と、巻芯を巻取り装置に装着して液体を塗布してシート材の端を巻芯に貼る工程とを備えるものである。
【発明の効果】
【０００６】
第１の課題解決手段の巻芯によれば、液体を塗布されるまでは粘着力を持たないため離型紙を必要とせず、離型紙を添付する手間が省け、コストを削減することができるという効果がある。
第２の課題解決手段の巻芯によれば、何処ででも手に入る水で粘着力を回復でき、取り扱いが容易であるという効果がある。
第３の課題解決手段の巻芯によれば、エチルセルロースが水分では粘着性を回復しないため、輸送途中で保持手段同士が接着するという不具合が発生し難くなるという効果がある。
第４の課題解決手段の巻芯によれば、紙管の場合には液体を塗布する際に余分な液体を吸収し、液体がフィルムと巻芯との間に残る期間を短くできるという効果がある。
第５の課題解決手段の巻回体によれば、保持手段は液体が蒸発すると粘着力がなくなるため、最後までシート材を使い切る際に粘着剤がシート材に付着するのを防止することができるという効果がある。
第６の課題解決手段の巻芯の輸送方法によれば、輸送時に大気中の湿度などにより保持手段同士が接着するという不具合を防止できるという効果がある。
【発明を実施するための最良の形態】
【０００７】
以下、この発明の一実施形態による巻芯について図１を用いて説明する。図１は紙管の構成を示す斜視図であり、図２は紙管に保持手段を形成した状態を示す斜視図である。紙管７Ａは、螺旋状に巻かれた紙テープ２Ａが複数層積層されることにより形成される。紙管７Ａの表面には紙が表出している。紙テープ２Ａは一周前に巻かれた部分や一周後に巻かれた部分との境界部分に付き合わせ部３Ａが存する。
図２に示すように、紙管７Ａの表面に、円筒体である紙管７Ａの軸に平行に帯状の保持手段４Ａが形成されることにより巻芯１Ａが構成される。
【０００８】
図２に示す保持手段４Ａは、例えば、澱粉を糊化したものを塗布することにより形成される。例えば、澱粉（日澱化學株式会社製の商品名パイオスターチLT）を１５０ｇ、デキストリン（日澱化學株式会社製の商品名アミコール６L）を１００ｇ、酢酸ビニル系樹脂荒川化学工業株式会社（タマノリG−３７）を２５０ｇ、水２００ｇに入れて攪拌する。この混合液を、８５℃以上で１０分間加熱して糊化させることによりコーティング材が調整される。コーティング材を紙管７Ａの表面に塗布した後、自然乾燥または５０℃〜１００℃程度の熱風を当てながらコーティング材の乾燥を行う。
【０００９】
乾燥した澱粉が粘着性を示さないため、保持手段４Ａの表面に離型紙を添付する必要がなくなる。そのため、巻芯１Ａは従来の感圧接着剤が塗布されている巻芯１に比べてコストが低減される。
【００１０】
巻芯１Ａの輸送は、複数の巻芯１Ａを束ねて、埃などが巻芯１Ａに付着しないようにストレッチフィルムなどで束ねた複数の巻芯１Ａを包装する。複数の巻芯１Ａを束ねる際に、異なる巻芯１Ａの保持手段４Ａ同士が当接しないように、例えば巻芯１Ａの保持手段４Ａの位置を同じ方向に揃える。このように束ねることにより、巻芯１Ａの保持手段４Ａは、他の巻芯１Ａの紙が表出している部分に当接するため保持手段４Ａ同士が接着するという不具合を防ぐことができる。
【００１１】
巻芯１Ａに、図３に示すようなシート材５を巻きつけるときには、霧吹きなどで保持手段４Ａに水を吹き付けて保持手段４Ａを湿らせると粘着力が回復し、シート材を保持手段４Ａに貼り付けることができる。巻芯１Ａの表面についた余分な水は紙管７Ａに吸収されるので、シート材を巻き取るときに水によってシート材が紙管７Ａに張り付いてシート材に皺などが発生するという不具合が起こり難くなる。
そして、シート材が巻芯１Ａに巻き取られた巻回体からシート材を解く場合、最後までシートを解き切る時には、保持手段４Ａが既に乾燥しているためシート材に保持手段４Ａが張り付くことなくシート材を最後まで使い切れる。
【００１２】
上記実施形態では、保持手段４Ａの材料に澱粉とデキストリンと酢酸ビニル系樹脂の混合物を用いる場合を説明したが、例えば、澱粉、デキストリン、酢酸ビニル系樹脂コンニャクマンナン、ポリビニルアルコール、アラビアゴムおよびカルボキシメチルセルロースのいずれか又はこれらを組み合わせたものを含む材料を用いることができる。これらの材料も乾燥すると粘着性がなくなり、湿らせると粘着力を発生する。分子量や懸架度などによって粘着力は異なるが、シート材も数μｍの薄いものから１００μｍを超える厚いものまであるので、粘着力もシート材の性質や形状に応じて適宜選択される。
【００１３】
また、上記実施形態では、保持手段４Ａの材料に水溶性の澱粉とデキストリンと酢酸ビニル系樹脂の混合物を用いたが、水に不要で溶剤に溶ける材料例えば、エチルセルロースなどを用いることができる。なお、保持手段４Ａに用いる水に不要で溶剤に可能な材料はエチルセルロースに限られるものではない。この場合には、霧吹きなどで保持手段４Ａにアルコールなどの溶剤を吹き付けることにより粘着力を回復させ、シート材を巻芯に巻きつけることができる。
エチルセルロース以外にも、クロロプレンゴムやスチレン−ブタジエンゴムの中にトルエンを吹き付けることにより粘着力を回復するものがある。従って、このようなクロロプレンゴムやスチレン−ブタジエンゴムを保持手段４Ａに用いることができる。
【００１４】
また、上記実施形態では、巻芯１Ａに紙管７Ａを用いたが、例えばプラスチック製のコアを用いてもよい。この場合、紙管７Ａを用いる場合に比べて、表面に液体が残るため液体が蒸発するための時間が必要なことと、プラスチックの耐溶剤性が必要になる。従って、プラスチックの種類に応じて保持手段４Ａに用いる材料を選択する必要がある。
【図面の簡単な説明】
【００１５】
【図１】本発明の巻芯を構成する紙管の斜視図である。
【図２】本発明の一実施形態による巻芯の斜視図である。
【図３】従来の巻芯の使用方法を説明するための斜視図である。
【図４】従来の巻芯の構成を示す斜視図である。
【符号の説明】
【００１６】
１，１Ａ  巻芯、２，２Ａ  筐体、４，４Ａ  保持手段、５  シート材、６  離型紙、７Ａ  紙管。
【図１】
2005162468.tif 000003
【図２】
2005162468.tif 000004
【図３】
2005162468.tif 000005
【図４】
2005162468.tif 000006